(57)【要約】本開示の態様は、アップリンク（ＵＬ）データチャネル設計のための技法を提供する。例となる方法は、第１の装置によって行われ得る動作のために提供される。例となる方法は一般に、カバレッジ拡張（ＣＥ）レベルに少なくとも部分的に基づいて、第１のサブフレームの１つまたは複数のスロットの間に送信すべきパイロットシンボルの数を決定することと、第１のサブフレームの１つまたは複数のスロットにおいて、決定された数のパイロットシンボルを有する少なくとも１つのアップリンクデータチャネルを送信することとを備える。【選択図】図５
2019501601.tif 000002
【特許請求の範囲】
【請求項１】
第１の装置によるワイヤレス通信のための方法であって、
カバレッジ拡張（ＣＥ）レベルに少なくとも部分的に基づいて、第１のサブフレームの１つまたは複数のスロットの間に送信すべきパイロットシンボルの数を決定することと、
前記第１のサブフレームの前記１つまたは複数のスロットにおいて前記決定された数のパイロットシンボルを有する少なくとも１つのアップリンクデータチャネルを送信することと
を備える方法。
【請求項２】
前記決定することは、カバレッジ拡張なしに対応するＣＥレベルについてパイロットシンボルの第１の数を決定することを備える、請求項１に記載の方法。
【請求項３】
前記決定することは、物理アップリンク共有チャネル（ＰＵＳＣＨ）反復レベル、ＰＵＳＣＨ変調およびコーディングスキーム、ＲＲＣ構成メッセージ、またはアップリンク（ＵＬ）グラントのうちの少なくとも１つに基づく、請求項１に記載の方法。
【請求項４】
前記第１のサブフレームは、第２の装置によって使用される第２のサブフレームに対して、より長い持続時間を有し、
前記第１のサブフレームは、前記第１のサブフレームの持続時間に基づいて、より低い周波数のトーン間隔スキームを有する、
請求項１に記載の方法。
【請求項５】
前記第２のサブフレームと前記第１のサブフレームとの間のブロック直交性を維持するようにサイクリックプレフィクス（ＣＰ）長を調整すること
をさらに備える、請求項４に記載の方法。
【請求項６】
前記第２のサブフレームは、拡張ＣＰを利用する、請求項５に記載の方法。
【請求項７】
前記第１のサブフレームは、拡張ＣＰより短い長さのサイクリックプレフィクス（ＣＰ）を用いるより高い周波数のトーン間隔スキームを有するサブフレームに対応する、請求項４に記載の方法。
【請求項８】
サウンディング基準信号（ＳＲＳ）が第３のサブフレームにおける送信にスケジューリングされると決定することと、
前記第１のサブフレームに対してより高い周波数のトーン間隔スキームでＳＲＳがスケジューリングされる前記サブフレームにおいて送信するように前記装置を構成することと
をさらに備える、請求項４に記載の方法。
【請求項９】
前記送信することは、ＳＲＳがスケジューリングされる前記サブフレーム中のシンボルが、前記第２の装置によって送信されるシンボルと符号分割多重化されるように、ＳＲＳがスケジューリングされる前記サブフレームにおいてデータチャネルを送信することを備える、請求項８に記載の方法。
【請求項１０】
ＳＲＳがスケジューリングされる前記サブフレームにおいて前記データチャネルを送信することは、少なくとも、前記より低い周波数のトーン間隔スキームで第１のシンボルを、前記より高い周波数のトーン間隔スキームで第２のシンボルを送信することをさらに備える、請求項９に記載の方法。
【請求項１１】
サウンディング基準信号（ＳＲＳ）が、第３のサブフレームにおける送信にスケジューリングされると決定することと、
前記アップリンクデータチャネルを送信する際に、前記ＳＲＳによって使用されるトーンが回避され得るように、コムパターンを決定することと
をさらに備える、請求項４に記載の方法。
【請求項１２】
前記より低い周波数のトーン間隔スキームは、３ｋＨｚ、３．７５ｋＨｚ、または７．５ｋＨｚトーン間隔のうちの少なくとも１つを備える、請求項４に記載の方法。
【請求項１３】
前記送信することは、より低い周波数のトーン間隔で送信された前のシンボルの数に基づいて、より高い周波数のトーン間隔スキームで前記アップリンクデータチャネルを送信することを備える、請求項１２に記載の方法。
【請求項１４】
前記より低い周波数のトーン間隔スキームは、３．７５ｋＨｚトーン間隔を備え、前記より高い周波数のトーン間隔スキームは、７．５ｋＨｚトーン間隔を備える、請求項１３に記載の方法。
【請求項１５】
前記送信することは、前記アップリンクデータチャネルのシンボルが、第２の装置によって送信されるシンボルと符号分割多重化されるように、前記アップリンクデータチャネルを送信することを備える、請求項１に記載の方法。
【請求項１６】
前記第１の装置は、ユーザ機器（ＵＥ）を備える、請求項１に記載の方法。
【請求項１７】
ワイヤレス通信のための第１の装置であって、少なくとも１つのプロセッサを備え、前記少なくとも１つのプロセッサは、
カバレッジ拡張（ＣＥ）レベルに少なくとも部分的に基づいて、第１のサブフレームの１つまたは複数のスロットの間に送信すべきパイロットシンボルの数を決定することと、
前記第１のサブフレームの前記１つまたは複数のスロットにおいて前記決定された数のパイロットシンボルを有する少なくとも１つのアップリンクデータチャネルを送信することと
を行うように構成される、装置。
【請求項１８】
ワイヤレス通信のための第１の装置であって、
カバレッジ拡張（ＣＥ）レベルに少なくとも部分的に基づいて、第１のサブフレームの１つまたは複数のスロットの間に送信すべきパイロットシンボルの数を決定するための手段と、
前記第１のサブフレームの前記１つまたは複数のスロットにおいて前記決定された数のパイロットシンボルを有する少なくとも１つのアップリンクデータチャネルを送信するための手段と
を備える第１の装置。
【請求項１９】
コンピュータプログラム製品であって、
コードを備えるコンピュータ読取可能な媒体を備え、前記コードは、少なくとも１つのプロセッサによって実行されると、
カバレッジ拡張（ＣＥ）レベルに少なくとも部分的に基づいて、第１のサブフレームの１つまたは複数のスロットの間に送信すべきパイロットシンボルの数を決定することと、
前記第１のサブフレームの前記１つまたは複数のスロットにおいて前記決定された数のパイロットシンボルを有する少なくとも１つのアップリンクデータチャネルを送信することと
を前記少なくとも１つのプロセッサに行わせる、コンピュータプログラム製品。
【請求項２０】
ユーザ機器（ＵＥ）によるワイヤレス通信のための方法であって、
第１の変調スキームを決定することと、
第２の変調スキームを決定することと、
データ送信のためのリソースの第１のセットと、パイロット送信のためのリソースの第２のセットとを決定することと、
リソースの前記第１および第２のセット上で少なくとも１つのアップリンクデータチャネルを送信することと
を備え、
ここにおいて、リソースの前記第１のセットは、前記第１の変調スキームを使用し、リソースの前記第２のセットは、前記第２の変調スキームを使用する、方法。
【請求項２１】
前記第１の変調スキームは、ｐｉ／４ ＱＰＳＫまたはｐｉ／２ ＢＰＳＫを備え、前記第２の変調スキームは、ｐｉ／４ ＱＰＳＫまたはｐｉ／２ ＢＰＳＫを備える、請求項２０に記載の方法。
【請求項２２】
前記第１の変調スキームを決定することは、前記変調スキームを含むダウンリンクグラントを受信することを備え、
前記第２の変調スキームは、前記第１の変調スキームに基づいて決定される、
請求項２０に記載の方法。
【請求項２３】
前記第１および第２の変調スキームは、同じである、
請求項２２に記載の方法。
【請求項２４】
変調に適用される位相オフセットは、
セルＩＤ、スロット境界に対するタイミング、サブフレーム境界に対するタイミング、絶対タイミング、またはホッピングインスタンスに対するタイミング
のうちの少なくとも１つに少なくとも基づいて決定される、請求項２１に記載の方法。
【請求項２５】
前記第２の変調スキームを使用してリソースの前記第２のセット上で送信されるべきバイナリシーケンスは、
セルＩＤ、絶対タイミング、ＵＥ ＩＤ、変調タイプ、またはダウンリンクグラント中のインジケーション
のうちの少なくとも１つに少なくとも基づいて決定される、請求項２１に記載の方法。
【請求項２６】
バイナリシーケンスを決定することと、
前記第２の変調スキームにおいてコンステレーション点のサブセットを選択することと、
前記バイナリシーケンスと、前記コンステレーション点の前記サブセットとに少なくとも部分的に基づいて、前記第２の変調スキームを使用してリソースの前記第２のセット上で送信することと
をさらに備える、請求項２０に記載の方法。
【請求項２７】
前記コンステレーション点のサブセットを前記選択することは、
セルＩＤ、スロット境界に対するタイミング、サブフレーム境界に対するタイミング、絶対タイミング、ホッピングインスタンスに対するタイミング、異なるコンステレーションに適用される回転、サイクリックプレフィクス長、ＵＥ ＩＤ、サイクリックシフト、または反復レベル
のうちの少なくとも１つに基づいて行われる、請求項２６に記載の方法。
【請求項２８】
前記コンステレーション点の前記サブセットを前記選択することは、前記第１または第２の変調スキームにかかわらず、２つのコンステレーション点を選択することを備え、
バイナリシーケンスを前記決定することは、前記第１または第２の変調スキームを前記決定することから独立に行われる、
請求項２６に記載の方法。
【請求項２９】
前記バイナリシーケンスは、
セルＩＤ、スロット境界に対するタイミング、サブフレーム境界に対するタイミング、絶対タイミング、ホッピングインスタンスに対するタイミング、異なるコンステレーションに適用される回転、サイクリックプレフィクス長、ＵＥ ＩＤ、サイクリックシフト、または反復レベル
のうちの少なくとも１つに基づいて決定される、請求項２６に記載の方法。
【請求項３０】
ワイヤレス通信のための装置であって、少なくとも１つのプロセッサを備え、前記少なくとも１つのプロセッサは、
第１の変調スキームを決定することと、
第２の変調スキームを決定することと、
データ送信のためのリソースの第１のセットと、パイロット送信のためのリソースの第２のセットとを決定することと、
リソースの前記第１および第２のセット上で少なくとも１つのアップリンクデータチャネルを送信することと
を行うように構成され、
ここにおいて、リソースの前記第１のセットは、前記第１の変調スキームを使用し、リソースの前記第２のセットは、前記第２の変調スキームを使用する、装置。
【請求項３１】
ワイヤレス通信のための装置であって、
第１の変調スキームを決定するための手段と、
第２の変調スキームを決定するための手段と、
データ送信のためのリソースの第１のセットと、パイロット送信のためのリソースの第２のセットとを決定するための手段と、
リソースの前記第１および第２のセット上で少なくとも１つのアップリンクデータチャネルを送信するための手段と
を備え、
ここにおいて、リソースの前記第１のセットは、前記第１の変調スキームを使用し、リソースの前記第２のセットは、前記第２の変調スキームを使用する、装置。
【請求項３２】
コンピュータプログラム製品であって、
コードを備えるコンピュータ読取可能な媒体を備え、前記コードは、少なくとも１つのプロセッサによって実行されると、
第１の変調スキームを決定することと、
第２の変調スキームを決定することと、
データ送信のためのリソースの第１のセットと、パイロット送信のためのリソースの第２のセットとを決定することと、
リソースの前記第１および第２のセット上で少なくとも１つのアップリンクデータチャネルを送信することと
を前記少なくとも１つのプロセッサに行わせ、
ここにおいて、リソースの前記第１のセットは、前記第１の変調スキームを使用し、リソースの前記第２のセットは、前記第２の変調スキームを使用する、コンピュータプログラム製品。
【発明の詳細な説明】
【米国特許法第１１９条に基づく優先権の主張】
【０００１】
[0001]  本願は、２０１６年２月１７日に出願された米国仮特許出願第６２／２９６，５６８号、２０１６年１月１９日に出願された米国仮特許出願第６２／２８０，６８６号、２０１６年１月１１日に出願された米国仮特許出願第６２／２７７，４７１号、および２０１６年１２月７日に出願された米国特許出願第１５／３７１，８８５号の利益を主張し、それらは全て、本願の譲受人に譲渡され、これによって、全体が参照によりここに明確に組み込まれる。
【技術分野】
【０００２】
[0002]  本開示の特定の態様は一般に、ワイヤレス通信に関し、より具体的には、狭帯域デバイスのためのアップリンクデータチャネル設計に関する。
【背景技術】
【０００３】
[0003]  ワイヤレス通信システムは、音声、データ、などのような様々なタイプの通信コンテンツを提供するために広く展開されている。これらのシステムは、利用可能なシステムリソース（例えば、帯域幅および送信電力）を共有することで複数のユーザとの通信をサポートする能力がある多元接続システムであり得る。このような多元接続システムの例には、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ（登録商標））ロングタームエボリューション（ＬＴＥ（登録商標））／ＬＴＥ−アドバンスドシステム、および直交周波数分割多元接続（ＯＦＤＭＡ）システムが含まれる。
【０００４】
[0004]  一般に、ワイヤレス多元接続通信システムは、複数のワイヤレス端末のための通信を同時にサポートできる。各端末は、順方向リンクおよび逆方向リンクでの送信を介して、１つまたは複数の基地局と通信する。順方向リンク（すなわちダウンリンク）は、基地局から端末への通信リンクを指し、逆方向リンク（すなわちアップリンク）は、端末から基地局への通信リンクを指す。この通信リンクは、単一入力単一出力、多入力単一出力、または多入力多出力（ＭＩＭＯ）システムを介して確立され得る。
【０００５】
[0005]  ワイヤレス通信ネットワークは、多数の(a number of)ワイヤレスデバイスのための通信をサポートできる多数の基地局を含み得る。ワイヤレスデバイスは、ユーザ機器（ＵＥ：user equipments）を含み得る。いくつかのＵＥは、基地局、別のリモートデバイス、または何らかの他のエンティティと通信し得るマシンタイプ通信（ＭＴＣ：machine-type communication）ＵＥであると考えられ得る。ＭＴＣ ＵＥは、例えば、地上波公共移動通信ネットワーク（ＰＬＭＮ：Public Land Mobile Networks）を通して、ＭＴＣサーバおよび／または他のＭＴＣデバイスとのＭＴＣ通信の能力があるＵＥを含み得る。
【０００６】
[0006]  狭帯域インターネットオブシングス（ＮＢ−ＩｏＴ：narrowband internet of things）デバイスのようなワイヤレスデバイスは、システム帯域幅のうちの相対的な狭帯域領域を使用して通信し得る。特定のＮＢ−ＩｏＴデバイスは、ＭＴＣデバイスであると考えられ得る。ＵＥの複雑性を低減するために、ＮＢ−ＩｏＴは、例えば、広帯域ＬＴＥチャネルと比べて、低減された帯域幅を利用した展開を可能にし得る。より大きい容量に加えて高められた互換性を可能にする新たなフレーム構造がそのようなデバイスに使用され得る。
【発明の概要】
【０００７】
[0007]  本開示の特定の態様は、第１の装置によるワイヤレス通信のための方法を提供する。方法は一般に、カバレッジ拡張（ＣＥ：coverage enhancement）レベルに少なくとも部分的に基づいて、第１のサブフレームの１つまたは複数のスロットの間に送信すべきパイロットシンボルの数を決定することと、第１のサブフレームの１つまたは複数のスロットにおいて、決定された数のパイロットシンボルを有する少なくとも１つのアップリンクデータチャネルを送信することとを含む。
【０００８】
[0008]  本開示の特定の態様は、ワイヤレス通信のための第１の装置を提供する。この第１の装置は一般に、カバレッジ拡張（ＣＥ）レベルに少なくとも部分的に基づいて、第１のサブフレームの１つまたは複数のスロットの間に送信すべきパイロットシンボルの数を決定するように構成された少なくとも１つのプロセッサと、第１のサブフレームの１つまたは複数のスロットにおいて、決定された数のパイロットシンボルを有する少なくとも１つのアップリンクデータチャネルを送信するように構成された送信機とを含む。
【０００９】
[0009]  本開示の特定の態様は、ワイヤレス通信のための第１の装置を提供する。この第１の装置は一般に、カバレッジ拡張（ＣＥ）レベルに少なくとも部分的に基づいて、第１のサブフレームの１つまたは複数のスロットの間に送信すべきパイロットシンボルの数を決定するための手段と、第１のサブフレームの１つまたは複数のスロットにおいて、決定された数のパイロットシンボルを有する少なくとも１つのアップリンクデータチャネルを送信するための手段とを含む。
【００１０】
[0010]  本開示の特定の態様は、第１の装置によるワイヤレス通信のためのコンピュータプログラム製品を提供する。このコンピュータプログラム製品は、コードを備えるコンピュータ読取可能な媒体を備え、このコードは、少なくとも１つのプロセッサによって実行されると、カバレッジ拡張（ＣＥ）レベルに少なくとも部分的に基づいて、第１のサブフレームの１つまたは複数のスロットの間に送信すべきパイロットシンボルの数を決定することと、第１のサブフレームの１つまたは複数のスロットにおいて、決定された数のパイロットシンボルを有する少なくとも１つのアップリンクデータチャネルを送信することとを少なくとも１つのプロセッサに行わせる。
【００１１】
[0011]  本開示の特定の態様は、ユーザ機器（ＵＥ）によるワイヤレス通信のための方法を提供する。この方法は一般に、第１の変調スキームを決定することと、第２の変調スキームを決定することと、データ送信のためのリソースの第１のセットと、パイロット送信のためのリソースの第２のセットとを決定することと、リソースの第１および第２のセット上で少なくとも１つのアップリンクデータチャネルを送信することと、ここにおいて、リソースの第１のセットは、第１の変調スキームを使用し、リソースの第２のセットは、第２の変調スキームを使用する、を含む。
【００１２】
[0012]  方法、装置、システム、コンピュータプログラム製品、コンピュータ読取可能な媒体、および処理システムを含む多数の他の態様が提供される。
【図面の簡単な説明】
【００１３】
【図１】本開示の特定の態様による、ワイヤレス通信ネットワークの例を概念的に例示するブロック図である。
【図２】本開示の特定の態様による、ワイヤレス通信ネットワークにおけるユーザ機器（ＵＥ）と通信状態にある基地局の例を概念的に例示するブロック図を示す。
【図３】ロングタームエボリューション（ＬＴＥ）における周波数分割複信（ＦＤＤ）のための例示的なフレーム構造を示す。
【図４】通常のサイクリックプレフィクスを用いる２つの例示的なサブフレームフォーマットを示す。
【図５】本開示の態様による、第１の装置、例えば、ユーザ機器（ＵＥ）、によって行われ得る例となるアップリンクプロセスを例示する。
【図６】本開示の態様による、３．７５ｋＨｚトーン間隔を利用する例となるフレーム構造６００を例示する。
【図７】本開示の態様による、例となる多重フレーム構造７００を例示する。
【図８Ａ】本開示の態様による、拡張ＣＰを有する例となる多重フレーム構造を例示する。
【図８Ｂ】本開示の態様による、拡張ＣＰを有する例となる多重フレーム構造を例示する。
【図９】本開示の態様による、ＳＲＳ送信を有する例となる多重フレーム構造を例示する。
【図９Ａ】本開示の態様による、ＳＲＳ送信を有する例となる多重フレーム構造を例示する。
【図１０】本開示の態様による、ＳＲＳおよびＣＤＭを有する例となる多重フレーム構造を例示する。
【図１１】本開示の態様による、ＳＲＳを有する例となる多重フレーム構造を例示する。
【図１２】本開示の態様による、例となる多重フレーム構造を例示する。
【図１３Ａ】本開示の態様による、異なる変調のコンステレーション図を例示する。
【図１３Ｂ】本開示の態様による、異なる変調のコンステレーション図を例示する。
【図１３Ｃ】本開示の態様による、異なる変調のコンステレーション図を例示する。
【図１３Ｄ】本開示の態様による、異なる変調のコンステレーション図を例示する。
【図１４】本開示の態様による、例となる開始コンステレーション回転を例示する。
【図１５Ａ】本開示の態様による、パイロット変調に基づくパイロットシーケンスの例となる構造を例示する。
【図１５Ｂ】本開示の態様による、パイロット変調に基づくパイロットシーケンスの例となる構造を例示する。
【図１５Ｃ】本開示の態様による、パイロット変調に基づくパイロットシーケンスの例となる構造を例示する。
【図１５Ｄ】本開示の態様による、パイロット変調に基づくパイロットシーケンスの例となる構造を例示する。
【図１６Ａ】本開示の態様による、整列されたコンステレーション点を例示する。
【図１６Ｂ】本開示の態様による、整列されたコンステレーション点を例示する。
【図１６Ｃ】本開示の態様による、整列されたコンステレーション点を例示する。
【発明の詳細な説明】
【００１４】
[0029]  ここで説明される技法は、ＣＤＭＡ、ＴＤＭＡ、ＦＤＭＡ、ＯＦＤＭＡ、ＳＣ−ＦＤＭＡのような様々なワイヤレス通信ネットワークおよび他のネットワークに使用され得る。「ネットワーク」および「システム」という用語は同義で使用されることが多い。ＣＤＭＡネットワークは、ユニバーサル地上無線アクセス（ＵＴＲＡ）、ｃｄｍａ２０００、等の無線技術を実施し得る。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡの他の変形を含む。ｃｄｍａ２０００は、ＩＳ−２０００、ＩＳ−９５、およびＩＳ−８５６規格をカバーする。ＴＤＭＡネットワークは、モバイル通信のためのグローバルシステム（ＧＳＭ（登録商標））のような無線技術を実施し得る。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ、等のような無線技術を実施し得る。ＵＴＲＡおよびＥ−ＵＴＲＡは、ユニバーサルモバイル電気通信システム（ＵＭＴＳ）の一部である。３ＧＰＰロングタームエボリューション（ＬＴＥ）およびＬＴＥ−アドバンスド（ＬＴＥ−Ａ）は、周波数分割複信（ＦＤＤ）および時分割複信（ＴＤＤ）の両方において、ダウンリンク上でＯＦＤＭＡを採用し、アップリンク上でＳＣ−ＦＤＭＡを採用する、Ｅ−ＵＴＲＡを使用するＵＭＴＳの新リリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）という名称の団体からの文書に記載されている。ｃｄｍａ２０００およびＵＭＢは、「第３世代パートナーシッププロジェクト２」（３ＧＰＰ２）という名称の団体からの文書に記載されている。ここで説明される技法は、上述したワイヤレスネットワークおよび無線技術だけでなく他のワイヤレスネットワークおよび無線技術にも使用され得る。明瞭さのために、本技法の特定の態様は、ＬＴＥ／ＬＴＥ−アドバンスドについて以下で説明され、ＬＴＥ／ＬＴＥ−アドバンスドの専門用語が、以下の説明の大部分で使用される。ＬＴＥおよびＬＴＥ−Ａは一般に、ＬＴＥと呼ばれる。
【００１５】
例となるワイヤレス通信システム
[0030]  図１は、本開示の態様が実施され得る例となるワイヤレス通信ネットワーク１００を例示する。例えば、ここで提示される技法は、図１に示されるＵＥおよびＢＳが、狭帯域（例えば、１つのＰＲＢ、６つのＰＲＢ）ベースの探索空間を使用するマシンタイプ物理ダウンリンク制御チャネル（ｍＰＤＣＣＨ：machine type physical downlink control channel）上で通信するのを助けるために使用され得る。
【００１６】
[0031]  ネットワーク１００は、ＬＴＥネットワークまたは何らかの他のワイヤレスネットワークであり得る。ワイヤレスネットワーク１００は、多数の発展型ノードＢ（ｅＮＢ：evolved Node B）１１０および他のネットワークエンティティを含み得る。ｅＮＢは、ユーザ機器（ＵＥ）と通信するエンティティであり、基地局、ノードＢ、アクセスポイント、等とも呼ばれ得る。各ｅＮＢは、特定の地理的エリアに通信カバレッジを提供し得る。３ＧＰＰにおいて、「セル」という用語は、この用語が使用されるコンテキストに依存して、ｅＮＢのカバレッジエリア、および／または、このカバレッジエリアにサービス提供するｅＮＢサブシステムを指し得る。ＵＥのいくつかの例には、セルラ電話、スマートフォン、携帯情報端末（ＰＤＡ）、ワイヤレスモデム、ハンドヘルドデバイス、タブレット、ラップトップコンピュータ、ネットブック、スマートブック、ウルトラブック、ウェアラブルデバイス（例えば、スマートグラス、スマートブレスレット、スマートリストバンド、スマートリング、スマートウォッチ、スマートクロージング）、ドローン、ロボットデバイス、エンターテインメントデバイス、ゲームデバイス、車両用デバイス、医療／ヘルスケアデバイス、等が含まれ得る。いくつかのＵＥは、マシンタイプ通信（ＭＴＣ）ＵＥであると考えられ得、これは、基地局、別のリモートデバイス、または何らかの他のエンティティと通信し得るセンサ、メータ、モニタ、位置タグ、ドローン、ロボットデバイス、等のようなリモートデバイスを含み得る。マシンタイプ通信（ＭＴＣ）は、通信の少なくとも一端に少なくとも１つのリモートデバイスを伴う通信を指し得、ヒューマン対話（human interaction）を必ずしも必要としない１つまたは複数のエンティティを伴うデータ通信の形態を含み得る。ＭＴＣ ＵＥおよび他のタイプのＵＥは、ＮＢ−ＩｏＴデバイスとして実施され得る。
【００１７】
[0032]  ｅＮＢは、マクロセル、ピコセル、フェムトセル、および／または他のタイプのセルに通信カバレッジを提供し得る。マクロセルは、比較的広い地理的エリア（例えば、半径数キロメートル）をカバーし得、サービスに加入しているＵＥによる無制限アクセスを可能にし得る。ピコセルは、比較的狭い地理的エリアをカバーし得、サービスに加入しているＵＥによる無制限アクセスを可能にし得る。フェムトセルは、比較的狭い地理的エリア（例えば、自宅）をカバーし得、このフェムトセルと関連があるＵＥ（例えば、クローズド加入者グループ（ＣＳＧ：closed subscriber group）中のＵＥ）による制限付きアクセスを可能にし得る。マクロセルのためのｅＮＢは、マクロｅＮＢと呼ばれ得る。ピコセルのためのｅＮＢは、ピコｅＮＢと呼ばれ得る。フェムトセルのためのｅＮＢは、フェムトｅＮＢまたはホームｅＮＢ（ＨｅＮＢ：home eNB）と呼ばれ得る。図１に示される例では、ｅＮＢ１１０ａが、マクロセル１０２ａのためのマクロｅＮＢであり得、ｅＮＢ１１０ｂが、ピコセル１０２ｂのためのピコｅＮＢであり得、ｅＮＢ１１０ｃが、フェムトセル１０２ｃのためのフェムトｅＮＢであり得る。ｅＮＢは、１つまたは複数の（例えば、３つの）セルをサポートし得る。「ｅＮＢ」、「基地局」、および「セル」という用語は、ここにおいて同義で使用され得る。
【００１８】
[0033]  ワイヤレスネットワーク１００はまた中継局を含み得る。中継局は、アップストリーム局（例えば、ｅＮＢまたはＵＥ）からデータの送信を受信し、このデータの送信をダウンストリーム局（例えば、ＵＥまたはｅＮＢ）に送ることができるエンティティである。中継局は、他のＵＥのための送信を中継できるＵＥでもあり得る。図１で示される例では、中継局１１０ｄが、ｅＮＢ１１０ａとＵＥ１２０ｄとの間の通信を容易にするために、マクロｅＮＢ１１０ａおよびＵＥ１２０ｄと通信し得る。中継局は、中継ｅＮＢ、中継基地局、リレー、等とも呼ばれ得る。
【００１９】
[0034]  ワイヤレスネットワーク１００は、異なるタイプのｅＮＢ、例えば、マクロｅＮＢ、ピコｅＮＢ、フェムトｅＮＢ、中継ｅＮＢ、等を含む異種ネットワークであり得る。これらの異なるタイプのｅＮＢは、ワイヤレスネットワーク１００において、異なる送信電力レベル、異なるカバレッジエリア、および干渉に対する異なる影響を有し得る。例えば、マクロｅＮＢは、高い送信電力レベル（例えば、５〜４０ワット）を有し得るが、ピコｅＮＢ、フェムトｅＮＢ、および中継ｅＮＢは、より低い送信電力レベル（例えば、０．１〜２ワット）を有し得る。
【００２０】
[0035]  ネットワークコントローラ１３０は、ｅＮＢのセットに結合し得、これらのｅＮＢに調整（coordination）および制御を提供し得る。ネットワークコントローラ１３０は、バックホールを介してこれらｅＮＢと通信し得る。これらｅＮＢはまた、例えば、ワイヤレスまたはワイヤラインバックホールを介して直接的または間接的に、互いに通信し得る。
【００２１】
[0036]  ＵＥ１２０（例えば、１２０ａ、１２０ｂ、１２０ｃ）は、ワイヤレスネットワーク１００全体にわたって散在しており、各ＵＥは、固定またはモバイルであり得る。ＵＥは、アクセス端末、端末、モバイル局、加入者ユニット、局、等とも呼ばれ得る。ＵＥは、セルラ電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレット、スマートフォン、ネットブック、スマートブック、ウルトラブック、等であり得る。図１では、両方向に矢印が付いた実線が、ＵＥと、このＵＥにダウンリンクおよび／またはアップリンク上でサービス提供するように指定されたｅＮＢであるサービングｅＮＢとの間の所望の送信を示す。両方向に矢印が付いた破線は、ＵＥとｅＮＢとの間の潜在的に干渉する送信を示す。
【００２２】
[0037]  ワイヤレス通信ネットワーク１００（例えば、ＬＴＥネットワーク）における１つまたは複数のＵＥ１２０はまた、狭帯域帯域幅ＵＥであり得る。これらのＵＥは、ＬＴＥネットワークにおけるレガシおよび／または（例えば、より広い帯域幅で動作する能力がある）アドバンスドＵＥと共存し得、ワイヤレスネットワークにおける他のＵＥと比べて制限された１つまたは複数の能力を有し得る。例えば、ＬＴＥ Ｒｅｌ−１２では、ＬＴＥネットワークにおけるレガシおよび／またはアドバンスドＵＥと比べて、狭帯域ＵＥが、（レガシＵＥに対して）最大帯域幅の低減、単一受信無線周波数（ＲＦ）チェーン、ピークレートの低減（例えば、トランスポートブロックサイズ（ＴＢＳ：transport block size）について最大１０００ビットがサポートされ得る）、送信電力の低減、ランク１送信、半二重動作（half duplex operation）等、のうちの１つまたは複数で動作し得る。いくつかのケースにおいて、半二重動作がサポートされる場合、狭帯域ＵＥは、送信から受信（または受信から送信）動作への緩和された切替えタイミングを有し得る。例えば、あるケースにおいて、レガシおよび／またはアドバンスドＵＥの場合の２０マイクロ秒（ｕｓ）という切替えタイミングと比べて、狭帯域ＵＥは、１ミリ秒（ｍｓ）という緩和された切替えタイミングを有し得る。
【００２３】
[0038]  いくつかのケースにおいて、（例えば、ＬＴＥ Ｒｅｌ−１２の）狭帯域ＵＥはまた、ＬＴＥネットワークにおけるレガシおよび／またはアドバンスドＵＥがダウンリンク（ＤＬ）制御チャネルをモニタするのと同じアウェイで、ＤＬ制御チャネルをモニタ可能であり得る。リリース１２の狭帯域ＵＥは、依然として、標準の（regular）ＵＥと同じ様式で、例えば、最初の数個のシンボルで広帯域制御チャネル（例えば、物理ダウンリンク制御チャネル（ＰＤＣＣＨ：physical downlink control channel））に加えて、比較的狭帯域を占有するがサブフレームの長さに広がる狭帯域制御チャネル（例えば、拡張または発展型ＰＤＣＣＨ（ｅＰＤＣＣＨ：enhanced or evolved PDCCH））をモニタすることで、ダウンリンク（ＤＬ：downlink）制御チャネルをモニタし得る。
【００２４】
[0039]  特定の態様によれば、狭帯域ＵＥは、（例えば、１．４／３／５／１０／１５／２０ＭＨｚでの）より広いシステム帯域幅内に共存しつつ、例えば、利用可能なシステム帯域幅）から分割された（partitioned）６つのリソースブロックまたは１．４ＭＨｚの特定の狭帯域割当てに制限され得る。加えて、狭帯域ＵＥはまた、１つまたは複数のカバレッジ動作モード（coverage modes of operation）をサポート可能であり得る。例えば、狭帯域ＵＥは、最大１５ｄＢまでのカバレッジ拡張をサポート可能であり得る。
【００２５】
[0040]  ここで使用される場合、限られた通信リソース、例えば、より小さい帯域幅のデバイスは、一般に狭帯域ＵＥと呼ばれ得る。同様に、レガシおよび／またはアドバンスドＵＥ（例えば、ＬＴＥにおける）のようなレガシデバイスは、一般に広帯域ＵＥと呼ばれ得る。一般に、広帯域ＵＥは、狭帯域ＵＥよりも多い量の帯域幅での動作が可能である。
【００２６】
[0041]  いくつかのケースでは、ＵＥ（例えば、狭帯域ＵＥまたは広帯域ＵＥ）がネットワークにおいて通信する前に、セル探索および捕捉プロシージャを行い得る。あるケースにおいて、例として図１で例示されるＬＴＥネットワークを参照すると、セル探索および捕捉プロシージャは、ＵＥがＬＴＥセルに接続されておらずかつＬＴＥネットワークをアクセスすることを望むときに行われ得る。これらケースにおいて、ＵＥは、丁度電源オンにされていたり、ＬＴＥセルへの接続を一時的に失った後に接続を回復されていたりなどし得る。
【００２７】
[0042]  他のケースにおいて、セル探索および捕捉プロシージャは、ＵＥがＬＴＥセルに既に接続されているときに行われ得る。例えば、ＵＥは、新たなＬＴＥセルを検出済であり得、この新たなセルへのハンドオーバを準備し得る。別の例として、ＵＥは、（例えば、間欠受信（ＤＲＸ：discontinuous reception）をサポートし得る）１つまたは複数の低電力状態で動作中であり得、この１つまたは複数の低電力状態を終了することに伴って、（ＵＥが依然として接続モードであっても）セル探索および捕捉プロシージャを行うことが必要であり得る。
【００２８】
[0043]  図２は、基地局／ｅＮＢ１１０およびＵＥ１２０の設計のブロック図を示すもので、これらは図１の基地局／ｅＮＢのうちの１つおよびＵＥのうちの１つであり得る。基地局１１０はＴ個のアンテナ２３４ａ〜２３４ｔを装備し得、ＵＥ１２０はＲ個のアンテナ２５２ａ〜２５２ｒを装備し得、ここで、一般にＴ≧１およびＲ≧１である。
【００２９】
[0044]  基地局１１０において、送信プロセッサ２２０は、１つまたは複数のＵＥのためのデータをデータソース２１２から受け取り、ＵＥから受信したＣＱＩに基づいて、各ＵＥについて１つまたは複数の変調およびコーディングスキーム（ＭＣＳ：modulation and coding schemes）を選択し、各ＵＥのためのデータを、そのＵＥのために選択されたＭＣＳに基づいて処理（例えば、符号化および変調）し、全てのＵＥのためのデータシンボルを提供し得る。送信プロセッサ２２０はまた、（例えば、ＳＲＰＩ、等のための）システム情報および制御情報（例えば、ＣＱＩ要求、グラント、上位レイヤシグナリング、等）を処理し、オーバーヘッドシンボルおよび制御シンボルを提供し得る。プロセッサ２２０はまた、基準信号（例えば、ＣＲＳ）および同期信号（例えば、ＰＳＳおよびＳＳＳ）のための基準シンボルを生成し得る。送信（ＴＸ）多入力多出力（ＭＩＭＯ）プロセッサ２３０は、適用可能な場合、これらのデータシンボル、制御シンボル、オーバーヘッドシンボル、および／または基準シンボルに対して空間処理（例えば、プリコーディング）を行い得、Ｔ個の変調器（ＭＯＤ：modulators）２３２ａ〜２３２ｔにＴ個の出力シンボルストリームを提供し得る。各変調器２３２は、（例えば、ＯＦＤＭ、等のために）それぞれの出力シンボルストリームを処理して、出力サンプルストリームを取得し得る。各変調器２３２は、この出力サンプルストリームをさらに処理（例えば、アナログ変換、増幅、フィルタ処理、およびアップコンバート）して、ダウンリンク信号を取得し得る。変調器２３２ａ〜２３２ｔからのＴ個のダウンリンク信号は、それぞれＴ個のアンテナ２３４ａ〜２３４ｔを介して送信され得る。
【００３０】
[0045]  ＵＥ１２０において、アンテナ２５２ａ〜２５２ｒは、基地局１１０および／または他の基地局からダウンリンク信号を受信し得、受信した信号をそれぞれ復調器（ＤＥＭＯＤ：demodulators）２５４ａ〜２５４ｒに提供し得る。各復調器２５４は、その受信した信号を調整（例えば、フィルタ処理、増幅、ダウンコンバート、およびデジタル化）して、入力サンプルを取得し得る。各復調器２５４は、この入力サンプルを（例えば、ＯＦＤＭ、等のために）さらに処理して、受信シンボルを取得し得る。ＭＩＭＯ検出器２５６は、Ｒ個全ての復調器２５４ａ〜２５４ｒから受信シンボルを取得し、適用可能な場合、この受信シンボルに対してＭＩＭＯ検出を行い、検出されたシンボルを提供し得る。受信プロセッサ２５８は、検出されたシンボルを処理（例えば、復調および復号）し、ＵＥ１２０のための復号されたデータをデータシンク２６０に提供し、復号された制御情報およびシステム情報をコントローラ／プロセッサ２８０に提供し得る。チャネルプロセッサは、ＲＳＲＰ、ＲＳＳＩ、ＲＳＲＱ、ＣＱＩ、等を決定し得る。
【００３１】
[0046]  アップリンクでは、ＵＥ１２０において、送信プロセッサ２６４が、データソース２６２からのデータ、およびコントローラ／プロセッサ２８０からの制御情報を（例えば、ＲＳＲＰ、ＲＳＳＩ、ＲＳＲＱ、ＣＱＩ、等を備える報告のために）受信し、処理し得る。プロセッサ２６４はまた、１つまたは複数の基準信号のための基準シンボルを生成し得る。送信プロセッサ２６４からのシンボルは、適用可能な場合、ＴＸ ＭＩＭＯプロセッサ２６６によってプリコーディングされ、変調器２５４ａ〜２５４ｒによってさらに（例えば、ＳＣ−ＦＤＭ、ＯＦＤＭ、等のために）処理され、基地局１１０に送信され得る。基地局１１０において、ＵＥ１２０および他のＵＥからのアップリンク信号が、アンテナ２３４によって受信され、復調器２３２によって処理され、適用可能な場合、ＭＩＭＯ検出器２３６によって検出され、受信プロセッサ２３８によってさらに処理されて、ＵＥ１２０によって送られた復号されたデータおよび制御情報が取得され得る。プロセッサ２３８は、復号されたデータをデータシンク２３９に、復号された制御情報をコントローラ／プロセッサ２４０に提供し得る。基地局１１０は、通信ユニット２４４を含み、通信ユニット２４４を介してネットワークコントローラ１３０に通信し得る。ネットワークコントローラ１３０は、通信ユニット２９４と、コントローラ／プロセッサ２９０と、メモリ２９２とを含み得る。
【００３２】
[0047]  コントローラ／プロセッサ２４０および２８０は、それぞれ、基地局１１０およびＵＥ１２０における動作を命じ得る。例えば、プロセッサ２８０および／またはＵＥ１２０の他のプロセッサおよびモジュールは、図５に示される動作５００を行うかまたは命じ得、プロセッサ２４０および／または基地局１１０の他のプロセッサおよびモジュールは、基地局１１０での動作を行うかまたは命じ得る。メモリ２４２および２８２は、それぞれ、基地局１１０およびＵＥ１２０のためのデータおよびプログラムコードを記憶し得る。スケジューラ２４６は、ダウンリンクおよび／またはアップリンクでのデータ送信についてＵＥをスケジュールし得る。
【００３３】
[0048]  図３は、ＬＴＥにおけるＦＤＤ（周波数分割複信）のための例示的なフレーム構造３００を示す。ダウンリンクおよびアップリンクの各々についての送信タイムラインは、無線フレームの単位に分割され得る。各無線フレームは、所定の持続時間（例えば、１０ミリ秒（ｍｓ））を有し得、０〜９のインデックスをもつ１０個のサブフレームに分割され得る。各サブフレームは、２つのスロットを含み得る。ゆえに、各無線フレームは、０〜１９のインデックスをもつ２０個のスロットを含み得る。各スロットは、Ｌ個のシンボル期間、例えば、（図３に示されるような）通常のサイクリックプレフィクスの場合７つのシンボル期間または拡張サイクリックプレフィクスの場合６個のシンボル期間を含み得る。各サブフレーム中の２Ｌ個のシンボル期間は、０〜２Ｌ−１のインデックスが割り当てられ得る。
【００３４】
[0049]  ＬＴＥでは、ｅＮＢが、このｅＮＢによってサポートされる各セルに対して、システム帯域幅のうちの中央においてダウンリンク上でプライマリ同期信号（ＰＳＳ）およびセカンダリ同期信号（ＳＳＳ）を送信し得る。ＰＳＳおよびＳＳＳは、図３に示されるように、それぞれ、通常のサイクリックプレフィクスを有する各無線フレームのサブフレーム０および５中のシンボル期間６および５で送信され得る。ＰＳＳおよびＳＳＳは、セル探索および捕捉のためにＵＥによって使用され得、数ある情報の中でも特に、複信モードを示すインジケーションとともにセルＩＤを含み得る。複信モードを示すインジケーションは、セルが、時分割複信（ＴＤＤ）フレーム構造を利用するか、周波数分割複信（ＦＤＤ）フレーム構造を利用するかを示し得る。ｅＮＢは、このｅＮＢによってサポートされる各セルに対して、システム帯域幅にわたってセル固有基準信号（ＣＲＳ：cell-specific reference signal）を送信し得る。ＣＲＳは、各サブフレームの特定のシンボル期間において送信され得、チャネル推定、チャネル品質測定、および／または他の機能を行うためにＵＥによって使用され得る。ｅＮＢはまた、特定の無線フレームのスロット１中のシンボル期間０〜３において、物理ブロードキャストチャネル（ＰＢＣＨ：physical broadcast channel）を送信し得る。ＰＢＣＨは、いくらかのシステム情報を搬送し得る。ｅＮＢは、特定のサブフレーム中の物理ダウンリンク共有チャネル（ＰＤＳＣＨ：physical downlink shared channel）上でシステム情報ブロック（ＳＩＢ：system information blocks）のような他のシステム情報を送信し得る。ｅＮＢは、サブフレームの最初のＢ個のシンボル期間において物理ダウンリンク制御チャネル（ＰＤＣＣＨ：physical downlink control channel）上で制御情報／データを送信し得、ここで、Ｂは、サブフレームごとに設定可能（configurable）であり得る。ｅＮＢは、各サブフレームの残りのシンボル期間においてＰＤＳＣＨ上でトラフィックデータおよび／または他のデータを送信し得る。
【００３５】
[0050]  チャネル品質測定は、ＵＥのＤＲＸサイクルに基づくもののような定義されたスケジュールに従ってＵＥによって行われ得る。例えば、ＵＥは、ＤＲＸサイクルごとにサービングセルについての測定を行うことを試み得る。ＵＥはまた、非サービング近隣セルについての測定を行うことを試み得る。非サービング近隣セルについての測定は、サービングセルについてのものとは異なるスケジュールに基づいて行われ得、ＵＥは、ＵＥが接続モードにあるとき、非サービングセルを測定するためにサービングセルからチューンアウェイする必要があり得る。
【００３６】
[0051]  チャネル品質測定を容易にするために、ｅＮＢは、特定のサブフレーム上でセル固有基準信号（ＣＲＳ）を送信し得る。例えば、ｅＮＢは、所与のフレームの間にサブフレーム０および５上でＣＲＳを送信し得る。狭帯域ＵＥは、この信号を受信し、受信した信号の平均電力、すなわちＲＳＲＰを測定し得る。狭帯域ＵＥはまた、全てのソースからの受信信号電力の合計に基づいて、受信信号強度インジケータ（ＲＳＳＩ：Receive Signal Strength Indicator）を算出し得る。ＲＳＲＱもまた、ＲＳＲＰおよびＲＳＳＩに基づいて算出され得る。
【００３７】
[0052]  測定を容易にするために、ｅＮＢは、そのカバレッジエリア内のＵＥに測定構成（measurement configuration）を提供し得る。測定構成は、測定報告のためのイベントトリガを定義し得、各イベントトリガは、関連するパラメータを有し得る。ＵＥが、構成測定イベント（configured measurement event）を検出すると、それは、関連する測定オブジェクトについての情報とともに測定報告をｅＮＢに送ることで応答し得る。構成測定イベントは、例えば、測定された基準信号受信電力（ＲＳＲＰ：reference signal received power）または測定された基準信号受信品質（ＲＳＲＱ：reference signal received quality）がしきい値を満たすことであり得る。トリガ時間（ＴＴＴ：time-to-trigger）パラメータは、ＵＥがその測定報告を送る前に測定イベントがどれだけ持続しなければならないかを定義するために使用され得る。このように、ＵＥは、その無線条件の変化をネットワークにシグナリングできる。
【００３８】
[0053]  図４は、通常のサイクリックプレフィクスを有する２つの例示的なサブフレームフォーマット４１０および４２０を示す。利用可能な時間周波数リソースは、複数のリソースブロックに分割され得る。各リソースブロックは、１つのスロットにおいて１２個のサブキャリアをカバーし得、多数のリソースエレメントを含み得る。各リソースエレメントは、１つのシンボル期間において１つのサブキャリアをカバーし得、実数値または複素数値であり得る１つの変調シンボルを送るために使用され得る。
【００３９】
[0054]  サブフレームフォーマット４１０は、２つのアンテナの場合に使用され得る。ＣＲＳは、シンボル期間０、４、７、および１１において、アンテナ０および１から送信され得る。基準信号は、送信機および受信機によってアプリオリに知られている信号であり、パイロットとも呼ばれ得る。ＣＲＳは、例えば、セルアイデンティティ（ＩＤ）に基づいて生成される、セルに固有の基準信号である。図４では、ラベルＲａを有する所与のリソースエレメントについては、変調シンボルがこのリソースエレメント上でアンテナａから送信され得、いずれの変調シンボルもこのリソースエレメント上で他のアンテナから送信され得ない。サブフレームフォーマット４２０は、４つのアンテナがあるときに使用され得る。ＣＲＳは、シンボル期間０、４、７、および１１でアンテナ０および１から、シンボル期間１および８でアンテナ２および３から送信され得る。両方のサブフレームフォーマット４１０および４２０について、ＣＲＳは、均等に間隔が空けられたサブキャリア上で送信され得、これらは、セルＩＤに基づいて決定され得る。複数のＣＲＳは、それらのセルＩＤに依存して、同じまたは異なるサブキャリア上で送信され得る。両方のサブフレームフォーマット４１０および４２０について、ＣＲＳに使用されないリソースエレメントは、データ（例えば、トラフィックデータ、制御データ、および／または他のデータ）を送信するために使用され得る。
【００４０】
[0055]  ＬＴＥにおけるＰＳＳ、ＳＳＳ、ＣＲＳ、およびＰＢＣＨは、「Evolved Universal Terrestrial Radio Access (E-UTRA); Physical Channels and Modulation」と題する、３ＧＰＰ ＴＳ ３６．２１１に記載されており、これは公に入手可能である。
【００４１】
[0056]  インターレース構造が、ＬＴＥにおけるＦＤＤについてのダウンリンクおよびアップリンクの各々に使用され得る。例えば、０〜Ｑ１のインデックスをもつＱ個のインターレースが定義され得、ここで、Ｑは、４、６、８、１０、または何らかの他の値に等しくあり得る。各インターレースは、Ｑ個のフレーム分だけ間隔が空けられたサブフレームを含み得る。特に、インターレースｑは、サブフレームｑ、ｑ＋Ｑ、ｑ＋２Ｑ、等を含み得、ここで、ｑ∈｛０，．．．，Ｑ−１｝である。
【００４２】
[0057]  ワイヤレスネットワークは、ダウンリンクおよびアップリンク上でのデータ送信のためにハイブリッド自動再送要求（ＨＡＲＱ：hybrid automatic retransmission request）をサポートし得る。ＨＡＲＱの場合、送信機（例えば、ｅＮＢ）は、パケットが受信機（例えば、ＵＥ）によって正しく復号されるかまたは何らかの他の終了条件に遭遇するまで、このパケットの１つまたは複数の送信を送り得る。同期ＨＡＲＱでは、パケットの全ての送信が単一のインターレースのサブフレームで送られ得る。非同期ＨＡＲＱでは、パケット各送信が任意のサブフレームで送られ得る。
【００４３】
[0058]  １つのＵＥは、複数のｅＮＢのカバレッジ内に位置し得る。これらｅＮＢのうちの１つが、ＵＥにサービス提供するために選択され得る。サービングｅＮＢは、受信信号強度、受信信号品質、経路損失、等のような様々な基準に基づいて選択され得る。受信信号品質は、信号対ノイズおよび干渉比（ＳＩＮＲ：signal-to-noise-and-interference ratio）、または基準信号受信品質（ＲＳＲＱ：reference signal received quality）、または何らかの他のメトリックによって数値化され得る。ＵＥは、このＵＥが１つまたは複数の干渉するｅＮＢからの高い干渉を観測し得る支配的な干渉シナリオで動作し得る。
【００４４】
[0059]  ＵＥは、サウンディング基準信号（ＳＲＳ：sounding reference signal）を１つまたは複数のｅＮＢに送信するように構成され得る。このＳＴＳは、帯域幅にわたってアップリンクチャネル品質を推定するためにｅＮＢによって使用され得、アップリンク周波数選択的スケジューリングに使用され得る。ＳＲＳ送信は、帯域幅全体にわたって広範のフィードバックを提供するために、比較的広い周波数範囲にわたって広がり得る。第１のＵＥによって送信されるＳＲＳと、ある他のＵＥのＵＬ送信との間の衝突を回避するために、複数の他のＵＥは、ＳＲＳ送信が発生し得るＯＦＤＭシンボルでの送信を回避し得る。これを達成するために、セル内の全てのＵＥは、このセル内の他のＵＥによってＳＲＳが送信され得るサブフレームのセットを認識(aware)し得る。次いで、他のＵＥは、それらのサブフレーム中、ＵＬ送信を回避し得る。
【００４５】
狭帯域動作
[0060]  従来のＬＴＥ設計の焦点は、スペクトル効率の改善、ユビキタスカバレッジ、サービス品質（ＱｏＳ：quality of service）サポート強化にある。現在のＬＴＥシステムのダウンリンク（ＤＬ）およびアップリンク（ＵＬ）リンクバジェットは、最先端のスマートフォン、タブレット、または他の広帯域デバイスのような、比較的大きいＤＬおよびＵＬリンクバジェットをサポートし得るハイエンドデバイスのカバレッジ用に設計されている。
【００４６】
[0061]  上述されたように、ワイヤレス通信ネットワーク（例えば、ワイヤレス通信ネットワーク１００）における１つまたは複数のＵＥは、狭帯域ＵＥのような、ワイヤレス通信ネットワークにおける他の（広帯域）デバイスと比べて限られた通信リソースを有するデバイスであり得る。狭帯域デバイスは、比較的シンプルな低電力デバイスであり得、限られた量の情報だけが交換される必要があり得るため、様々な要件が緩和され得る。例えば、最大帯域幅が（広帯域ＵＥに対して）低減され得、単一の受信無線周波数（ＲＦ：radio frequency）チェーンが使用され得、ピークレート（例えば、トランスポートブロックサイズに対して最大１００ビット）が低減され得、送信電力が低減され得、ランク１送信が使用され得、半二重動作が行われ得る。
【００４７】
[0062]  いくつかのケースでは、半二重動作が行われる場合、狭帯域ＵＥが、送信から受信へ（または受信から送信へ）遷移するための緩和された切替時間を有し得る。例えば、切替時間は、通常のＵＥのための２０μｓから、狭帯域ＵＥのための１ｍｓに緩和され得る。リリース１２の狭帯域ＵＥは、依然として、通常のＵＥと同じ様式でダウンリンク（ＤＬ）制御チャネルをモニタし得、例えば、最初の数シンボルにおける広帯域制御チャネル（例えば、ＰＤＣＣＨ）に加え、比較的狭帯域を占有するがサブフレームの長さに広がる狭帯域制御チャネル（例えば、ｅＰＤＣＣＨ）をモニタする。
【００４８】
[0063]  いくつかのシステムにおいて、例えばＬＴＥ Ｒｅｌ−１３で、狭帯域は利用可能なシステム帯域幅内の特定の（例えば、６つよりも多くないリソースブロック（ＲＢ）の）狭帯域割当てに制限され得る。しかしながら、狭帯域は、例えば、ＬＴＥシステム内で共存するために、ＬＴＥシステムの利用可能なシステム帯域幅内の異なる狭帯域領域に再チューニング（例えば、動作および／またはキャンプ）可能であり得る。
【００４９】
[0064]  ＬＴＥシステム内での共存の別の例として、狭帯域ＵＥは、レガシ物理ブロードキャストチャネル（ＰＢＣＨ）（例えば、一般に、ＭＩＢのような、セルへの初期アクセスに使用され得るパラメータを搬送するＬＴＥ物理チャネル）を（反復して）受信し、１つまたは複数のレガシ物理ランダムアクセスチャネル（ＰＲＡＣＨ：physical random access channel）フォーマットをサポートすることが可能であり得る。例えば、狭帯域ＵＥは、複数のサブフレームにわたるＰＢＣＨの１つまたは複数の追加の反復により、レガシＰＢＣＨを受信可能であり得る。別の例として、狭帯域ＵＥは、ＰＲＡＣＨの１つまたは複数の反復を（例えば、１つまたは複数のＰＲＡＣＨフォーマットをサポートして）ＬＴＥシステムにおけるｅＮＢに送信可能であり得る。ＰＲＡＣＨは、狭帯域ＵＥを識別するために使用され得る。また、反復されるＰＲＡＣＨの試みの数は、ｅＮＢによって設定され（configure）得る。
【００５０】
[0065]  狭帯域ＵＥはまた、リンクバジェット制限付きのデバイスであり得、そのリンクバジェット制限に基づいて、（例えば、異なる量の反復されたメッセージが狭帯域ＵＥに送信されることを必然的に伴う（entailing））異なる動作モードで動作し得る。例えば、いくつかのケースにおいて、狭帯域ＵＥは、反復がほとんどまたはまったくない通常のカバレッジモードで動作し得る。そのようなケースでは、ＵＥがメッセージを成功裏に受信するのに必要な反復の量が少なかったり、反復が必要とすらされなかったりし得る。代替的に、いくつかのケースにおいて、狭帯域ＵＥは、多量の反復があり得るカバレッジ拡張（ＣＥ）モードで動作し得る。例えば、３２８ビットのペイロードの場合、ＣＥモードの狭帯域ＵＥは、ペイロードを成功裏に受信するために、１５０回以上のペイロードの反復を必要とし得る。
【００５１】
[0066]  いくつかのケースにおいて、例えば、ＬＴＥ Ｒｅｌ−１３について、狭帯域ＵＥは、ブロードキャスト送信およびユニキャスト送信のその受信に関して、限られた能力を有し得る。例えば、狭帯域ＵＥによって受信されるブロードキャスト送信のための最大トランスポートブロック（ＴＢ：transport block）サイズは、１０００ビットに制限され得る。加えて、いくつかのケースにおいて、狭帯域ＵＥは、１つのサブフレームにおいて１つよりも多くのユニキャストＴＢを受信可能であり得ない。いくつかのケースにおいて（例えば、上述されたＣＥモードおよび通常モードの両方について）、狭帯域ＵＥは、１つのサブフレームにおいて１つよりも多くのブロードキャストＴＢを受信可能であり得ない。さらに、いくつかのケースにおいて、狭帯域ＵＥは、１つのサブフレームにおいてユニキャストＴＢおよびブロードキャストＴＢの両方を受信可能であり得ない。
【００５２】
[0067]  ＬＴＥシステムにおいて共存する狭帯域ＵＥはまた、ページング、ランダムアクセスプロシージャ、等のような特定のプロシージャのために、（例えば、これらのプロシージャのためにＬＴＥで使用される従来のメッセージとは対照的に）新たなメッセージをサポートし得る。換言すると、ページング、ランダムアクセスプロシージャ、等のためのこれらの新たなメッセージは、非狭帯域ＵＥに関連する同様のプロシージャに使用されるメッセージとは別個であり得る。例えば、ＬＴＥで使用される従来のページングメッセージと比べて、狭帯域ＵＥは、非狭帯域ＵＥがモニタおよび／または受信可能であり得ないページングメッセージをモニタおよび／または受信可能であり得る。同様に、従来のランダムアクセスプロシージャで使用される従来のランダムアクセス応答（ＲＡＲ）メッセージと比べて、狭帯域ＵＥは、同じく非狭帯域ＵＥによって受信可能であり得ないＲＡＲメッセージを受信可能であり得る。狭帯域ＵＥに関連する新たなページングおよびＲＡＲメッセージはまた、１回または複数回反復され得る（例えば、「バンドリングされる」）。加えて、新たなメッセージについての異なる反復数（例えば、異なるバンドリングサイズ）がサポートされ得る。サイズ決定されたこれらの様々なバンドリングは、ＣＥレベルを決定するために使用され得る。例えば、ＣＥレベルは、一部が様々なチャネルに使用されるバンドルサイズから決定され得、ここで、より大きいバンドリングサイズは、より大きいＣＥレベルに関連する。
【００５３】
[0068]  特定の態様によれば、各狭帯域領域が合計で６つのＲＢより多くない帯域幅に広がる複数の狭帯域領域が、狭帯域ＵＥおよび／または狭帯域動作によってサポートされ得る。いくつかのケースにおいて、狭帯域動作における各狭帯域ＵＥは、一度に１つの狭帯域領域内で（例えば、１．４ＭＨｚまたは６つのＲＢで）動作し得る。しかしながら、狭帯域動作における狭帯域ＵＥは、いつでも、より広いシステム帯域幅における他の狭帯域領域に再チューニングし得る。いくつかの例では、複数の狭帯域ＵＥが同じ狭帯域領域によってサービス提供され得る。他の例では、複数の狭帯域ＵＥが（例えば、各狭帯域領域が６つのＲＢに広がる）異なる狭帯域領域によってサービス提供され得る。さらに他の例では、狭帯域ＵＥの異なる組合せが１つまたは複数の同じ狭帯域領域および／または１つまたは複数の異なる狭帯域領域によってサービス提供され得る。
【００５４】
[0069]  例えば、ＬＴＥ Ｒｅｌ−１３におけるいくつかのシステムは、狭帯域ＵＥに加え他のＵＥのためのサポートおよびカバレッジ拡張を導入する。ここで使用される場合、カバレッジ拡張という用語は一般に、ネットワーク内の（狭帯域デバイスのような）デバイスのカバレッジ範囲を拡張する任意のタイプのメカニズムを指す。カバレッジ拡張（ＣＥ）のための１つのアプローチは、（例えば、複数のサブフレームにわたって、または、以下でより詳細に説明するように、同じサブフレーム内の複数のシンボルにわたって）同じデータを複数回送信することを指すバンドリングである。
【００５５】
[0070]  特定のシステムは、最大１５ｄＢのカバレッジ拡張を狭帯域ＵＥに提供し得、それは、ＵＥとｅＮＢとの間の１５５.７ｄＢの最大結合損失にマッピングする。従って、狭帯域ＵＥおよびｅＮＢは、低ＳＮＲ（例えば、−１５ｄＢから−２０ｄＢ）で測定を行い得る。いくつかのシステムでは、カバレッジ拡張が、チャネルバンドリングを含み得、ここにおいて、狭帯域ＵＥに関連するメッセージが１回または複数回反復され得る（例えば、バンドリングされ得る）。
【００５６】
[0071]  特定のデバイスは、レガシタイプ通信および非レガシタイプ通信の両方で通信可能であり得る。例えば、いくつかのデバイスは、（システム帯域幅全体の）狭帯域領域およびより広い帯域領域の両方において通信可能であり得る。上の例は、狭帯域領域を介して通信する低コストまたはＭＴＣデバイスを指すが、他の（非低コスト／非ＭＴＣ）タイプのデバイスもまた、例えば、周波数選択性および指向送信を利用して、狭帯域領域を介して通信し得る。
【００５７】
[0072]  狭帯域インターネットオブシングス（ＮＢ−ＩｏＴ）デバイスのようなデバイスは、広帯域ＬＴＥと比べて、システム帯域幅のうちの相対的な狭帯域領域を使用して通信し得る。加えて、広帯域ＬＴＥは、互いに１５ｋＨｚの間隔が空けられたサブキャリアを利用し得る。ＮＢ−ＩｏＴデバイスも、例えば、単一トーンまたはマルチトーンアップリンク（ＵＬ）データチャネル上で、１５ｋＨｚサブキャリア間隔をサポートし得る。ＮＢ−ＩｏＴデバイスはまた、１５ｋＨｚトーン間隔に加え、３．７５ｋＨｚのトーン間隔（例えば、ＵＬサブキャリア間隔）を伴う単一トーンＵＬデータチャネルをサポートし得る。
【００５８】
[0073]  ３．７５ｋＨｚトーン間隔設計は、１５ｋＨｚトーン間隔と比べて、より多くの帯域幅容量を提供する。これは、３．７５ｋＨｚにより、サブキャリア間の間隔が低減されるため、時間ドメインが４倍に拡張されることができるためである。この拡張は、スロットの長さが０.５ｍｓよりむしろ２ｍｓのであり得る場合４ｍｓサブフレームを可能にする。帯域幅容量におけるこの増加により、１つに代わって、例えば、４つのＵＥが特定の周波数ドメインについてサポートされ得る。しかしながら、少なくとも２つの連続したアップリンクサブフレームが特定のＴＤＤモードに必要であるため、全てのＴＤＤモードがサポートされるわけでないことがあり得る。加えて、レガシＬＴＥ ＳＲＳ送信は、３．７５ｋＨｚトーン間隔で送信されるとき、非効率的であり得る。
【００５９】
[0074]  １５ｋＨｚトーン間隔設計は、帯域内ＬＴＥ構成との互換性を提供するが、より大きいトーン間隔により、３．７５ｋＨｚ設計と比べてより少ない容量を有する。この相対的な容量の欠如は、符号分割多重化（ＣＤＭ：code division multiplexing）を使用してともに動作する複数のＵＥのためのＳＲＳを処理することは問題であり得るが、少なくとも部分的に、ＣＤＭを通して対処され得る。
【００６０】
[0075]  ３．７５ｋＨｚおよび１５ｋＨｚの両方のトーン間隔を処理する能力があるフレーム構造が、互換性および容量を増やすだけでなく、１ｍｓスロットに収めることで全てのＴＤＤモードをサポートするように設計され得る。
【００６１】
アップリンクデータチャネル設計
[0076]  図５は、本開示の態様による、第１のユーザ機器（ＵＥ）によって行われ得る例となるアップリンクプロセス５００を例示する。５０２において、カバレッジ拡張（ＣＥ）レベルに少なくとも部分的に基づいて、第１のサブフレームの１つまたは複数のスロットの間に送信すべきパイロットシンボルの数を決定する。５０４において、第１のサブフレームの１つまたは複数のスロットにおいて、決定された数のパイロットシンボルを有する少なくとも１つのアップリンクデータチャネルを送信する。
【００６２】
[0077]  本開示の特定の態様によれば、各スロット内のデータおよびパイロットシンボルの数についてのフレーム構造は、カバレッジクラス（例えば、拡張レベル）に基づき得る。例えば、１５ｋＨｚトーン間隔を有する、ＵＥのためのＵＬ制御チャネルのためのフレーム構造は、１スロットにつき単一のパイロット、同様のスロットおよびサブフレーム持続時間、サイクリックプレフィクス（ＣＰ：cyclic prefix）、およびデータ長、並びに各スロット内の復調基準信号（ＤＭＲＳ）およびデータシンボルの数（number）を有する、ＬＴＥ ＵＬデータチャネル（例えば、物理アップリンク共有チャネル（ＰＵＳＣＨ））に使用されるフレーム構造に類似し得る。ＵＥが、拡張カバレッジにおいて動作している場合、各スロット内の２つのＤＭＲＳパイロットが使用され得る。ＵＥが、極端に拡張されたカバレッジにおいて動作している場合、各スロット内の３つのＤＭＲＳパイロットが使用され得る。
【００６３】
[0078]  本開示の特定の態様によれば、各スロットのためのパイロットの数は、例えば、カバレッジ拡張レベルまたはＰＵＳＣＨ反復レベルもしくはＭＣＳのような他の情報に基づいて暗示的に決定され得る。パイロットの数はまた、明示的にシグナリングされるＲＲＣ構成またはＵＬグラントに基づいて決定され得る。
【００６４】
[0079]  図６は、本開示の態様による、３．７５ｋＨｚトーン間隔を利用する例となるフレーム構造６００を例示する。サブキャリア間の間隔が低減されるため、無線フレームの単位は、４倍に拡張され得、結果として、より大きいデータおよびＤＭＲＳ持続時間とともに、より大きいＣＰ持続時間をもたらす。例えば、１．９２ＭＨｚサンプリングレートを使用すると、１５ｋＨｚトーン間隔を有するデータ持続時間は、１２８であり得るが、３．７５ｋＨｚトーン間隔を有するデータ持続時間は、４ｘ１２８であり得る。
【００６５】
[0080]  本開示の特定の態様によれば、３．７５ｋＨｚトーン間隔を有する、ＵＥのためのＵＬ制御チャネルのためのフレーム構造もまた、カバレッジクラスに基づき得る。例えば、３．７５ｋＨｚトーン間隔で動作するＵＥは、各スロット内で６つのデータシンボルと１つのＤＭＲＳとを利用し得る。拡張カバレッジにおいて動作するＵＥは、各スロット内で５つのデータシンボルと２つのＤＭＲＳとを利用し得る。極端に拡張されたカバレッジにおいて動作するＵＥは、各スロット内で４つのデータシンボルと３つのＤＭＲＳとを利用し得る。
【００６６】
[0081]  図７は、本開示の態様による、例となる多重フレーム構造７００を例示する。第１のＵＥは、３．７５ｋＨｚトーン間隔ＵＬ信号７０２を送信し得、第２のＵＥは、１５ｋＨｚトーン間隔ＵＬ信号７０４を送信し得る。示されるように、各３．７５ｋＨｚＯＦＤＭシンボルは、４つの１５ｋＨｚＯＦＤＭシンボルと等しくなるように調整され得る。３．７５ｋＨｚＯＦＤＭシンボル内のＣＰ持続時間は、各１５ｋＨｚＦＥＴブロック内で一致するように調整され、それにより、各１５ｋＨｚＦＦＴブロック内で、直交性が維持される。図７の調整されたＣＰにより、ｌ／４が整数である（ｌ／４∈Ｚ）、３．７５ｋＨｚグリッド上のいずれのトーンｌも、１５ｋＨｚトーンに対して直交のままであることが許可され得、３．７５ｋＨｚトーンと１５ｋＨｚトーンとの間のシンボルが２ｍｓの信号長内で整列されることを可能にする。
【００６７】
[0082]  図８Ａは、本開示の態様による、拡張ＣＰ８００Ａを有する例となる多重フレーム構造を例示する。拡張ＣＰが利用され得る場合、１５ｋＨｚと３．７５ｋＨｚとの間の直交性は、１５ｋＨｚトーンに対して３．７５ｋＨｚトーンのためのＣＰ長を拡張することで維持され得る。例えば、１５ｋＨｚトーン間隔を使用するサブフレーム中の拡張ＣＰ８０２Ａは、３２の長さを有し得、３．７５ｋＨｚトーン間隔を使用するサブフレーム中の対応する拡張ＣＰ８０４Ａは、４×３２すなわち１２８であり得る。３．７５ｋＨｚのためのＣＰを拡張することは、２ｍｓスロット内に７つのＯＤＦＭシンボルの代わりに６つのＯＦＤＭシンボルをもたらし得る。
【００６８】
[0083]  本開示の他の態様によれば、多重化は、１５ｋＨｚトーン間隔を利用する拡張ＣＰを有するサブフレームに対してサポートされ得る。例えば、図８Ｂに示されるように、拡張ＣＰが、３．７５ｋＨｚトーン間隔に利用される通常のＣＰフォーマットとともに１５ｋＨｚトーン間隔で利用される場合、２４個の１５ｋＨｚＯＦＤＭシンボルのうちの５つについて直交性が失われるであろう。これらのＯＦＭＤシンボルについて、３．７５ｋＨｚグリッド上のいずれのトーンも、１５ｋＨｚグリッド上のトーンに干渉し得る。
【００６９】
[0084]  図９および図９Ａは、本開示の態様による、ＳＲＳ送信を有する例となる多重フレーム構造を例示する。複数のＵＥからの送信は、例えば、ｅＮＢによって、多重化信号９００および９００Ａとして受信され得る。多重化信号は、第１のＵＥが３．７５ｋＨｚトーン間隔ＵＬ信号９０２を送信すること、第２のＵＥが１５ｋＨｚトーン間隔ＵＬ信号９０４を送信することを含み得る。ＳＲＳ送信９０６が１５ｋＨｚトーン間隔を使用して送信される場合、３．７５ｋＨｚトーン間隔を使用する、第１のＵＥの対応するＯＦＤＭシンボル９０８は、サイレンシング（silence）される必要がある。このサイレンシングは、例えば、３．７５ｋＨｚのための帯域幅の１４％の損失に相当する。
【００７０】
[0085]  本開示の態様によれば、１５ｋＨｚのＳＲＳ送信中のサイレンシングからの帯域幅の損失を低減するために、３．７５ｋＨｚトーン間隔を利用してＵＬ信号９０２Ａを送信するＵＥは、ＳＲＳに対してスケジュールされる特定のＯＦＤＭシンボルの間、１５ｋＨｚグリッドに切り替わり得る。これは、３．７５ｋＨｚシンボルを４つの１５ｋＨｚシンボルへと変換し、ＵＥが、ＳＲＳ送信９０６に対応する単一の１５ｋＨｚＯＦＤＭシンボル９１０Ａだけサイレンシングすることを可能にし、３つの１５ｋＨｚシンボル９１２Ａが送信されることを可能にするはずである。
【００７１】
[0086] ３．７５ｋＨｚから１５ｋＨｚへの切替えは、単一のＵＥの代わりに４つのＵＥが特定の周波数ドメインについて送信することを、３．７５ｋＨｚトーン間隔が可能にするという問題をもたらし得る。例えば、３．７５ｋＨｚグリッドから１５ｋＨｚグリッドに切り替わることは、４つのＵＥのうちの３つがサイレンシングされることを必要とし得る。本開示の態様によれば、時間上(over time)のＣＤＭ（例えば、離散フーリエ変換（ＤＦＴ：discrete Fourier transform）拡散）が４つのＵＥのうちの３つの回復を可能にするために、適用され得る。
【００７２】
[0087]  図１０は、本開示の態様による、ＳＲＳおよびＣＤＭを有する例となる多重フレーム構造１０００を例示する。例えば、全てのＵＥが、ＳＲＳ送信に対応する３．７５ｋＨｚシンボル１００２全体の間サイレンシングされ得る一方で、ＵＥは、ＳＲＳ送信に対応する４つの１５ｋＨｚシンボルのうちの１つのシンボル１００４の間のみサイレンシングされる必要がある。残りの３つの１５ｋＨｚシンボルの間、（４つのうちの）３つのＵＥ１００６は、これら３つのＵＥを多重化するために、例えば、ＤＦＴ拡散コードを通して、時間上のＣＤＭを使用して送信し得る。第４のＵＥ１００８は、サイレンシングされ得る。
【００７３】
[0088]  図１１は、本開示の態様による、ＳＲＳを有する例となる多重フレーム構造１１００を例示する。１５ｋＨｚグリッドから３．７５ｋＨｚグリッドに切り替わる間ＵＥを多重化することはまた、ＣＤＭなしに行われ得る。この例では、前述と同様に、４つのＵＥが、３．７５ｋＨｚシンボル１１０２の全体の間サイレンシングされ得る。ＵＥは、ＳＲＳ送信に対応する４つの１５ｋＨｚシンボルのうちの１つのシンボル１１０４の間だけサイレンシングされる必要がある。４つの１５ｋＨｚシンボルのうちの１つのシンボル１１０６の間、第１のＵＥ１１０８は送信し得、他の３つのＵＥは、サイレンシングされる。次いで、４つのＵＥのうちの２つのＵＥ１１１０は、持続時間が２倍に拡張されている７．５ｋＨｚトーン間隔を有するフレーム構造に類似した方法で、残りのＯＦＤＭシンボル時間１１１２において送信し得、その間、他の２つのＵＥは、サイレンシングされる。ＣＰおよびデータ持続時間は、１５ｋＨｚのそれらの２倍である。
【００７４】
[0089]  本開示の態様によれば、ＮＢ−ＩｏＴ送信が、より広いシステム帯域幅のエッジにおいてＲＢにおいて構成され得、ＳＲＳが、ＮＢ−ＩｏＴによって使用されるＲＢを回避するように構成される。別の態様によれば、ＳＲＳはまた、ＮＢ−ＩｏＴに割り当てられたサブフレームがＳＲＳに左右されないように、ＮＢ−ＩｏＴサブフレームではないサブフレームにおいてスケジュールされ得る。別の態様によれば、ＳＲＳが、３．７５ｋＨｚトーン間隔を利用して、ＮＢ−ＩｏＴ送信とともに送信され得る。そのようなケースでは、ＳＲＳ送信とＮＢ−ＩｏＴ送信との間の干渉が発生することとなり、ｅＮＢ受信機は、受信機側で、例えば、干渉キャンセレーションのような既存の技法を介して干渉を処理することが許可され得る。
【００７５】
[0090]  本開示の態様によれば、コムパターン（comb pattern）も、ＳＲＳとＮＢ−ＩｏＴ送信を多重化するために使用され得る。一般にＳＲＳ送信の場合、コムパターンでのＳＲＳ送信に対して一度にトーンの半分が実際に使用される。実際に使用されているこれらのトーンは、空けられ得る。ＳＲＳ送信によって現在使用されていないあとの半分が、ＳＲＳ送信への干渉なしにＮＢ−ＩｏＴ送信に使用され得る。ＳＲＳに使用されるトーンのパターンは、例えば、ＵＬまたはＤＬグラント内でＵＥにシグナリングされ得るか、半静的に構成され得る。ＳＲＳ送信にスケジュールされたトーンがデータ送信に必要である場合、ＵＥは、ＳＲＳ ＯＦＤＭシンボルの周りでのレートマッチングを行う必要があり得る。このコムパターン技法は、例えば、図１０および１１に関連して論じられた技法と組み合わせられ得る。
【００７６】
[0091]  本開示の態様によれば、全てのＴＤＤ構成は、７．５ｋＨｚトーン間隔を使用してカバーされ得る。７．５ｋＨｚトーン間隔では、ＣＰおよびデータ持続時間が、時間ドメインにおいて２倍に拡張され、ここで、１ｍｓスロットおよび２ｍｓサブフレーム持続時間を有する。１ｍｓスロット持続時間内に収まるためには、ＵＥがレガシＵＥと整列され得るように、１つのＵＬサブフレームだけが利用可能な場合に、ｅＮＢが１つのＮＢスロットをグラントするために、スロットごとの送信が必要である。
【００７７】
[0092]  本開示の態様によれば、全てのＴＤＤ構成は、３ｋＨｚトーン間隔を使用してもカバーされ得る。３ｋＨｚトーン間隔では、ＣＰおよびデータ持続時間が、時間ドメインにおいて５倍に拡張される。しかしながら、３ｋＨｚトーン間隔では、ＦＦＴサイズがもはやｌｏｇ２ではなく、いくつかのＣＰは、１ｍｓスロット持続時間内に収まるように拡張され得る。
【００７８】
[0093]  本開示の態様によれば、全てのＴＤＤ構成が、帯域内構成のために１５ｋＨｚトーン間隔だけを使用することによってサポートされ得る。上で示したように、１５ｋＨｚがより低い周波数トーン間隔構成と比べてより少ない容量を有するため、時間ドメインにおけるＣＤＭが、容量を増加させるために使用され得る。例えば、２ｍｓのコヒーレンス要件でウォルシュまたはＤＦＴ拡散が４つのスロットにわたって適用されるように、長さ４のＣＤＭが許可され得る。別の例として、ＣＤＭは、ＤＭＲＳシンボルが４回反復されるように、４つの異なるＯＦＤＭシンボルにわたって行われ得る。しかしながら、これは、ＤＭＲＳ反復からより離れているＯＦＤＭデータシンボルに対して弱いチャネル推定をもたらし得る。
【００７９】
[0094]  本開示の態様によれば、全てのＴＤＤ構成が、３．７５ｋＨｚトーン間隔とともにサポートされ得る。図１２は、本開示の態様による、例となる多重フレーム構造１２００を例示する。３つの３．７５ｋＨｚＯＦＤＭシンボルの後、４つの多重化ＵＥのうちの２つのＵＥ１２０２がサイレンシングされ得る。他の２つのＵＥは、送信ＵＥ間のトーン間隔が７．５ｋＨｚとなるように、残りのＯＦＤＭシンボル１２０４上で送信し得る。
【００８０】
[0095]  本開示の態様によれば、マルチトーン割当ては、コムパターンに基づいて行われ得る。例えば、ＲＢ内で、特定のトーン、例えば、トーン＃１、４，８、および１２が第１のＵＥに割り当てられ、トーン＃３、６、および９が第２のＵＥに割り当てられ得る。これにより、トーンは、連続トーン割当てと比べて、より広い帯域幅に広がることができ、改善された分解能によるより良好な時間トラッキングを可能にする。
【００８１】
[0096]  本開示の態様によれば、コンピュータ生成シーケンス（ＣＧＳ）設計が、マルチトーン割振りに使用され得る。ＬＴＥ ＣＧＳは、対応するＱＰＳＫ（直交位相シフトキーイング）シーケンスでベースラインとして使用され得、このシーケンス長と、広範の相互相関干渉分析とに基づいてテーブルを更新する。相互相関干渉分析は、近隣セルから受信され得る全ての可能な数のトーンと、全ての干渉するＵＥを考慮し得る。
【００８２】
[0097]  図１３の図１３Ａ−１３Ｄは、本開示の態様による、ＢＰＳＫおよびＱＰＳＫ変調のコンステレーション図１３００Ａ−Ｄを示す。本開示の態様によれば、ｐｉ／２−ＢＰＳＫ（二相位相シフトキーイング）１３００Ｂまたはｐｉ／４−ＱＰＳＫ（直交位相シフトキーイング）１３００Ｄの変調が、アップリンクチャネル上でのデータ送信に使用され得る。位相シフトキーイング（ＰＳＫ）は、基準信号（例えば、搬送波）の位相を変調することでデータを符号化する、この基準信号のための変調スキームである。ＢＰＳＫ１３００Ａは、１８０度離れている２つの位相（例えば、オフセット）を使用するＰＳＫの一形態であり、ＱＰＳＫ１３００Ｃは、９０度離れている４つの位相を使用する。ＰＳＫ信号が、あるコンステレーション点から別のコンステレーション点に遷移すると、この信号は、それぞれの軸のゼロ点（ＢＰＳＫの場合には１３０２、ＱＰＳＫの場合には１３０４）を通して遷移し得、ピーク対平均電力比（ＰＡＰＲ）を増加させる。異なる時間インスタントにおける位相シフトは、送信波形におけるゼロクロッシング（例えば、原点を通過する波形軌道）を回避し、ＰＡＰＲを低減するために使用され得る。例えば、ｐｉ／２−ＢＰＳＫのケース（１３００Ｂ）では、ｐｉ／２の位相シフト（１３０６）が、奇数の送信インスタンスに適用され得、０の位相シフト（１３０８）が偶数の送信インスタンスに適用され得る。いくつかのケースにおいて、位相シフトは、セル間およびＵＥ間干渉を低減するために、セルＩＤ、ＵＥ ＩＤ、スロット／サブフレーム境界に対するタイミング誤差、および／またはホッピングインスタントに対するタイミング誤差に基づいて決定され得る。例えば、ｐｉ／２−ＢＰＳＫのケース（１３００Ｂ）では、セルＩＤが奇数である場合、ｐｉ／２の位相シフト（１３０６）が、奇数の送信インスタンスに適用され得、セルＩＤが偶数である場合、０の位相シフト（１３０８）が偶数の送信インスタンスに適用され得る。
【００８３】
[0098]  カウンタは、異なる時間インスタントにおいて位相シフトを追跡するために利用され得る。このカウンタは、特定の境界に達すると再始動され得る。例えば、カウンタは、サブフレーム境界において再始動され得る。そのようなケースにおいて、有効な結果は、サブフレーム中のシンボルの数が奇数であるときカウンタが決して再始動しないことである。他の態様によれば、カウンタは、全てのスロットの後に、または、周波数ホッピングが行われた後に、再始動され得る。
【００８４】
[0099]  本開示の態様によれば、セル間ランダム化は、図１４に例示されるように、異なるセル内のＵＥについて異なるように開始コンステレーション回転１４００を調整することでさらに増加され得る。例えば、ｐｉ／４ ＱＰＳＫ変調を使用する第１のセル内の第１のユーザ１４０２は、ｐｉ／４の開始コンステレーション回転を利用し得、同じくｐｉ／４ ＱＰＳＫ変調を使用する第２のセル内の第２のユーザ１４０４は、０の開始コンステレーション回転を利用し得る。この開始回転は、例えば、ＤＭＲＳサイクリックシフトで）、グラントにおいて明示的にシグナリングされ得る。他のケースにおいて、この開始回転は、例えば、セルＩＤまたはＲＮＩ値に基づいて、暗示的にシグナリングされ得る。変調がＢＰＳＫおよびｐｉ／４ ＱＰＳＫと混合される場合、オフセットは、ＢＰＳＫユーザとｐｉ／４ ＱＰＳＫユーザとの間で異なり得る。
【００８５】
[00100]  より長い持続時間のＤＭＲＳシーケンスが定義され得る。特定の態様によれば、４０ｍｓのＤＭＲＳシーケンスが、２０個のシーケンスのシーケンス長で定義され得る。ＵＥは、ＤＭＲＳシーケンスの受信後、絶対タイミングに基づいて、対応するＤＭＲＳシーケンスを送信し得る。例えば、ＵＥが最初の１０個のシンボルを使用してＳＦ０からＳＦ９まで送信する場合、ＳＦ１０〜ＳＦ１９において送信するＵＥは、次の１０個のシンボルを使用する。
【００８６】
[00101]  ｐｉ／２−ＢＰＳＫまたはｐｉ／４−ＱＰＳＫを使用することは、アップリンクパイロットがアップリンクチャネルに挿入される方法を変更することを必要とし得、ＢＰＳＫをパイロットシーケンスとして使用することは、セル間干渉緩和を低減し、ＱＰＳＫベースのパイロットシーケンスより少ない自由度を提供し得る。本開示の態様によれば、ＱＰＳＫまたはｐｉ／４−ＱＰＳＫは、例えば、データがｐｉ／２−ＢＰＳＫまたはｐｉ／４−ＱＰＳＫを使用して送信されているにかかわらず、異なるユーザが良好な相互相関プロパティを有するシーケンスを使用できるように、アップリンクパイロットとして使用され得る。ＱＰＳＫまたはｐｉ／４−ＱＰＳＫのような、パイロットシーケンスに共通の変調を使用することは、いくつかのユーザ（例えば、ｐｉ／４−ＢＰＳＫパイロットでｐｉ／２−ＢＰＳＫを使用するユーザ）のＰＡＰＲを高め得る。別の例として、ＢＰＳＫ、ｐｉ／２−ＢＰＳＫ、またはｐｉ／４−ＢＰＳＫは、データに使用される変調にかかわらずアップリンクパイロットとして使用され得る。さらに別の例において、パイロット変調は、データに使用される変調に基づいて決定され得る。例えば、同じ変調が、データおよびパイロットの両方に使用され得る。後者のアプローチは、ＢＰＳＫユーザのピーク対平均比を低減しつつ、ＱＰＳＫケースのようなより高い変調ケースについてセル間干渉に対処するのを助ける。
【００８７】
[00102]  パイロットがＱＰＳＫおよびＢＰＳＫに対して異なる変調を使用する場合、結果として得られるシーケンスは、良好な相互相関シーケンスを有するべきである。例えば、ＣＧＳは、例えば、２つの別個のテーブルを用いて、ＱＰＳＫおよびＢＰＳＫに対して定義され得、ＵＥは、変調スキームと、セルＩＤ、スロットインデックス、または他の特性に基づくテーブル内のインデックスとに基づいてどちらのテーブルを使用するかを決定し得る。パイロットに使用されるべき変調がデータに使用されるべき変調と同じであるケースにおいて、使用されるべき正しいシーケンスは、複数の要因に基づいて決定され得る。例えば、パイロットシーケンスのセットは、仕様中に定義され得、ＵＥは、データに使用される変調に基づいて、パイロットシーケンスを選択するであろう。パイロットシーケンスのセットは、セル間干渉が低減され得るように、セルごとに異なり得る。さらに、パイロットシーケンスは、長い送信時間間隔に対して定義され得、ＵＥは、絶対タイミングに基づいて、対応するサブシーケンスを選択するはずである。例えば、シーケンスが長さ４０ｍｓで定義される場合、０−２０ｍｓにおいて送信する第１のＵＥは、このシーケンスの前半を使用し、２０ｍｓ−４０ｍｓにおいて送信する第２のＵＥは、このシーケンスの後半を使用するはずである。
【００８８】
[00103]  いくつかのケースにおいて、パイロットに使用される変調は、データに使用される変調と同じであり得るが、異なる変調が、このパイロットを構築するためにシーケンスの同じセットを使用し得る。パイロットシーケンス（例えば、ＤＭＲＳ）の構築は、シーケンスのセットからのシーケンスを適用することの間で、変調ポイントのサブセットを選択する（例えば、２つの変調ポイントだけを保存する）ことを含み得る。例えば、ＤＭＲＳは、ウォルシュコードのような、良好な相互相関プロパティを有するバイナリシーケンスから生成され得る。バイナリシーケンス（例えば、「０」と「１」または「１」と「−１」のシーケンス）の同じセットが、例えば、ｐｉ／４−ＱＰＳＫおよびｐｉ／２−ＢＰＳＫのいずれかに使用される変調にかかわらず、パイロットを生成するために使用され得る。例えば、各シーケンスは、ｐｉ／２−ＢＰＳＫのケースの場合、２つの変調シンボルから選択するために使用され得る。
【００８９】
[00104]  図１５Ａ−Ｄは、本開示の態様による、パイロット変調に基づくパイロットシーケンスの例となる構造１５００Ａ−１５００Ｄを例示する。例えば、変調がｐｉ／４−ＱＰＳＫであるとき、さらなるステップが行われ得る。パイロットシーケンスの算出は、最初に、データシンボルに対するものと同じパターンに従って、ｐｉ／４ ＱＰＳＫ（１５００Ａ）に回転を適用（１５００Ｂ）することで算出され得る。ｐｉ／４ ＢＰＳＫを構築するために４つのＱＰＳＫポイントのうちの２つだけが選択されるダウン選択が行われ得る（１５００Ｃ）。このダウン選択は、残りの２つのＱＰＳＫコンステレーション点が正反対となる（例えば、それらが、［−ｘ，ｘ］という形式をとる、ここで、「ｘ」は複素数である）ように行われ得る。いくつかのケースにおいて、ダウン選択は、残りのコンステレーション点が、（例えば、Ｐｉ／２ ＢＰＳＫでの）別の変調のコンステレーション点と整列されるように行われ得る（１５００Ｄ）。ダウン選択は、セルＩＤ、ＵＥ ＩＤ、サブフレーム／シンボル／スロット数、（例えば、ＳＩＢまたはＲＲＣにおいてシグナリングされる）より上位のレイヤのパラメータ、サイクリックシフト、反復レベル、仕様における定義、および／または他のパラメータに基づいて行われ得る。異なる変調タイプ間でのこの整列は、相互相関の観点からより良好なプロパティを提供する。いくつかのケースにおいて、ｐｉ／４−ＢＰＳＫおよびｐｉ／２−ＱＰＳＫの回転は、連続方法で定義され得る。例えば、回転は、ｅｘｐ（ｊ＊ｐｉ／４＊ｎ）またはｅｘｐ（ｊ＊ｐｉ／２＊ｎ）として行われ、結果として、ＱＰＳＫ／ＢＰＳＫシンボルの完全な回転をもたらす（例えば、ｎ＝２の場合、ＱＰＳＫコンステレーションは９０度回転され、これは別のＱＰＳＫであるが、異なるビットマッピングを有する）。この連続回転が定義される場合、コンステレーション点へのバイナリシーケンスのマッピングは、良好な相関プロパティを保つためにこの回転を考慮に入れる必要があり得る。
【００９０】
[00105]  図１６Ａ−Ｃは、本開示の態様による、整列されたコンステレーション点１６００Ａ−Ｃを例示する。いくつかのケースにおいて、パイロットに使用される変調は、異なる変調間で整列されるように選択され得る。例えば、ｐｉ／２−ＢＰＳＫ送信の場合、いくつかのシンボルにおいて、コンステレーション点は、ｐｉ／４−ＱＰＳＫ送信のサブセットと整列され得る（通常のＣＰ（ＮＣＰ：normal CP）長の場合は１６００Ａおよび１６００Ｂ、拡張ＣＰ（ＥＣＰ：extended CP）長の場合は１６００Ｃ）。そのようなケースにおいて、パイロット送信に使用される変調は、例えば、ｐｉ／２−ＢＰＳＫまたはｐｉ／４−ＱＰＳＫのサブセット（例えば、これらは同等である）である。いくつかの回転値についておよびいくつかのシンボルにおいて、ｐｉ／４−ＱＰＳＫは、ｐｉ／２−ＢＰＳＫに整列(align)されいかもしれない。そのようなケースにおいて、ｐｉ／２−ＢＰＳＫユーザは、ｐｉ／４−ＱＰＳＫをパイロットシーケンスとして使用し得、ダウン選択プロセスを含み得る。
【００９１】
[00106]  当業者は、情報および信号が、多種多様な技術および技法のうちの任意のものを使用して表され得ることを理解するであろう。例えば、上の説明全体を通して参照され得るデータ、命令、コマンド、情報、信号、ビット、シンボル、およびチップは、電圧、電流、電磁波、磁場または磁性粒子、光学場または光粒子、またはこれらの組合せによって表され得る。
【００９２】
[00107]  当業者であれば、ここでの開示に関連して説明された実例となる様々な論理ブロック、モジュール、回路、およびアルゴリズムステップが、ハードウェア、ソフトウェア、またはこれらの組合せとして実施され得ることをさらに認識するであろう。ソフトウェアは、ソフトウェア、ファームウェア、ミドルウェア、マイクロコード、ハードウェア記述言語と呼ばれても、それ以外の名称で呼ばれても、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味すると広く解釈されるものとする。このハードウェアとソフトウェアとの互換性を明確に例示するために、実例となる様々なコンポーネント、ブロック、モジュール、回路、およびステップが、概して、それらの機能性の観点から上に説明されている。このような機能性が、ハードウェアとして実施されるか、ソフトウェアとして実施されるかは、特定の用途とシステム全体に課せられる設計制約とに依存する。当業者は、特定の用途ごとに多様な様式で、説明された機能性を実施し得るが、そのような実施の決定は、本開示の範囲からの逸脱をもたらすと解釈されるべきでない。
【００９３】
[00108]  ここでの開示に関連して説明された実例となる様々な論理ブロック、モジュール、回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、またはここで説明された機能を行うように設計されたそれらの任意の組合せで実施または行われ得る。汎用プロセッサは、マイクロプロセッサであり得るが、代替として、プロセッサは、任意の従来のプロセッサ、コントローラ、マイクロコントローラ、またはステートマシンであり得る。プロセッサは、コンピューティングデバイスの組合せ、例えば、ＤＳＰと、１つのマイクロプロセッサ、複数のマイクロプロセッサ、ＤＳＰコアと連携した１つまたは複数のマイクロプロセッサ、または任意の他のこのような構成との組合せとしても実施され得る。
【００９４】
[00109]  ここでの開示に関連して説明されたアルゴリズムまたは方法のステップは、直接ハードウェアにおいて、プロセッサによって実行されるソフトウェアモジュールにおいて、またはこれらの組合せにおいて、具現化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、相変化メモリ（phase change memory）、レジスタ、ハードディスク、リムーバブルディスク、ＣＤ−ＲＯＭ、または当技術分野で知られている任意の他の形式の記憶媒体内に存在し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体は、ＡＳＩＣ内に存在し得る。ＡＳＩＣは、ユーザ端末内に存在し得る。代替として、プロセッサおよび記憶媒体は、ユーザ端末においてディスクリートコンポーネントとして存在し得る。一般に、動作が図中に例示されている場合、それらの動作は、任意の適切な対応する同等のミーンズプラスファンクションコンポーネントによって行われ得る。
【００９５】
[00110]  例えば、決定するための手段、選択するための手段、行うための手段、モニタするための手段、および／または試みるための手段は、図２に例示される基地局１１０のコントローラ／プロセッサ２４０、スケジューラ２４６、送信機プロセッサ２２０、受信プロセッサ２３８、ＭＩＭＯ検出器２３６、ＴＸ ＭＩＭＯプロセッサ２３０、および／または変調器／復調器２３２ａ〜２３２ｔ、および／または、図２に例示されるユーザ機器１２０のコントローラ／プロセッサ２８０、受信プロセッサ２５８、送信プロセッサ２６４、ＭＩＭＯ検出器２５６、ＴＸ ＭＩＭＯプロセッサ２６６、および／または変調器／復調器２５４ａ〜２５４ｒのような１つまたは複数のプロセッサ（または、プロセッサシステム）を含み得る。送信するための手段は、図２に例示される基地局１１０の送信プロセッサ２２０、ＴＸ ＭＩＭＯプロセッサ２３０、変調器２３２ａ〜２３２ｔ、および／またはアンテナ２３４ａ〜２３４ｔ、および／または、図２に例示されるユーザ機器１２０の送信プロセッサ２６４、ＴＸ ＭＩＭＯプロセッサ２６６、変調器２５４〜２５４ｒ、および／またはアンテナ２５２ａ〜２５２ｒのような送信機を含み得る。受信するための手段および／または取得するための手段は、図２に例示される基地局１１０の受信プロセッサ２３８、ＭＩＭＯ検出器２３６、復調器２３２ａ〜２３２ｔ、および／またはアンテナ２３４ａ〜２３４ｔ、および／または、図２に例示されるユーザ機器１２０のＭＩＭＯ検出器２５６、受信プロセッサ２５８、復調器２５４ａ〜２５４ｔ、および／またはアンテナ２５２ａ〜２５２ｔのような受信機を含み得る。
【００９６】
[00111]  １つまたは複数の例示的な設計において、説明された機能は、ハードウェア、ソフトウェア、またはこれらの組合せで実施され得る。ソフトウェアで実施される場合、これら機能は、コンピュータ読取可能な媒体上で、１つまたは複数の命令またはコードとして送信または記憶され得る。コンピュータ読取可能な媒体は、ある場所から別の場所へのコンピュータプログラムの移送を容易にする任意の媒体を含む通信媒体とコンピュータ記憶媒体との両方を含む。記憶媒体は、汎用または専用コンピュータによってアクセスされ得る任意の利用可能な媒体であり得る。限定ではなく例として、このようなコンピュータ読取可能な媒体は、ＲＡＭ、ＲＯＭ、ＥＥＰＲＯＭ、フラッシュメモリ、位相変化メモリ、ＣＤ／ＤＶＤまたは他の光ディスク記憶装置、磁気ディスク記憶装置または他の磁気記憶デバイス、あるいは、所望のプログラムコード手段をデータ構造または命令の形式で記憶または搬送するために使用され得、かつ、汎用または専用コンピュータ、または汎用または専用プロセッサによってアクセスされ得る任意の他の媒体を備えることができる。また、任意の接続は、厳密にはコンピュータ読取可能な媒体と称される。例えば、ソフトウェアが、同軸ケーブル、光ファイバーケーブル、ツイストペア、デジタル加入者回線（ＤＳＬ）、または赤外線、電波、およびマイクロ波のような無線技術を使用して、ウェブサイト、サーバ、または他のリモートソースから送信される場合、この同軸ケーブル、光ファイバーケーブル、ツイストペア、ＤＳＬ、または赤外線、電波、およびマイクロ波のような無線技術は、媒体の定義に含まれる。ここで使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク、およびブルーレイディスクを含み、ここで、ディスク（disk）は通常、磁気的にデータを再生し、ディスク（disc）は、レーザーで光学的にデータを再生する。上記の組合せもまた、コンピュータ読取可能な媒体の範囲内に含まれるべきである。
【００９７】
[00112]  ここで使用される場合、単数形の要素への参照は、別途明記されていない限り、「１つおよび１つだけ」を意味すること意図しておらず、むしろ「１つまたは複数」を意味することを意図する。例えば、本願および添付の請求項で使用される場合、冠詞「a」および「an」は一般に、別途明記されていない限りまたは単数形を対象としていることがコンテキストから明らかでない限り、「１つまたは複数」を意味すると解釈されるべきである。別途明記されていない限り、「何らかの／いくつかの」という用語は、１つまたは複数を指す。請求項を含む本明細書で使用される場合、「および／または」という用語は、２つ以上の項目からなるリストで使用されるとき、リストされた項目のうちのいずれか１つが単独で用いられること、または、リストされた項目のうちの２つ以上からなる任意の組合せが用いられ得ることを意味する。例えば、ある構成が、コンポーネントＡ、Ｂ、および／またはＣを含むものとして説明されている場合、この構成は、Ａのみ、Ｂのみ、Ｃのみ、ＡとＢの組合せ、ＡとＣの組合せ、ＢとＣの組合せ、またはＡとＢとＣの組合せを含むことができる。また、請求項を含め、ここで使用される場合、複数の項目からなるリスト（例えば、「〜のうちの少なくとも１つ」または「〜のうちの１つまたは複数」のような表現が付される項目からなるリスト）で使用される「または」は、例えば、「Ａ、ＢまたはＣのうちの少なくとも１つ」のリストが、ＡまたはＢまたはＣまたはＡＢまたはＡＣまたはＢＣまたはＡＢＣ（「ＡＢＣ」はＡおよびＢおよびＣを示す）並びに複数の同じ要素を伴う任意の組合せ（例えば、ＡＡ、ＡＡＡ、ＡＡＢ、ＡＡＣ、ＡＢＢＣＣ、またはＡ、Ｂ、Ｃの任意の他の順序）を意味するように、選言的なリスト（disjunctive list）を示す。
【００９８】
[00113]  本開示の先の説明は、当業者による本開示の製造または使用を可能にするために提供される。本開示への様々な修正は、当業者には容易に明らかとなり、ここで定義した包括的な原理は、本開示の精神または範囲から逸脱することなく、他の変形に適用され得る。ゆえに、本開示は、ここで説明された例および設計に限定されることを意図するものでなく、ここで開示された原理および新規の特徴に合致する最も広い範囲が与えられるべきである。
【図１】
2019501601.tif 000003
【図２】
2019501601.tif 000004
【図３】
2019501601.tif 000005
【図４】
2019501601.tif 000006
【図５】
2019501601.tif 000007
【図６】
2019501601.tif 000008
【図７】
2019501601.tif 000009
【図８Ａ】
2019501601.tif 000010
【図８Ｂ】
2019501601.tif 000011
【図９】
2019501601.tif 000012
【図９Ａ】
2019501601.tif 000013
【図１０】
2019501601.tif 000014
【図１１】
2019501601.tif 000015
【図１２】
2019501601.tif 000016
【図１３Ａ】
2019501601.tif 000017
【図１３Ｂ】
2019501601.tif 000018
【図１３Ｃ】
2019501601.tif 000019
【図１３Ｄ】
2019501601.tif 000020
【図１４】
2019501601.tif 000021
【図１５Ａ】
2019501601.tif 000022
【図１５Ｂ】
2019501601.tif 000023
【図１５Ｃ】
2019501601.tif 000024
【図１５Ｄ】
2019501601.tif 000025
【図１６Ａ】
2019501601.tif 000026
【図１６Ｂ】
2019501601.tif 000027
【図１６Ｃ】
2019501601.tif 000028
【国際調査報告】
2019501601.tif 000029
2019501601.tif 000030
2019501601.tif 000031
2019501601.tif 000032
2019501601.tif 000033
2019501601.tif 000034